(57)【特許請求の範囲】
【請求項１】
薄型箱状に形成した収納庫本体の前面に前倒式の扉を備え、該扉の裏面に靴を収納し扉の開閉に伴い靴の出し入れを行う靴収納庫であって、前記扉の回動支点を扉の下端縁よりも下方に設け、該扉の回動支点を目隠しする隠蔽板を本体前面に固定したことを特徴とする靴収納庫。
【請求項２】
薄型箱状に形成した収納庫本体の前面に前倒式の扉を備え、該扉の裏面左右側縁部に側板を取り付け、該側板に底板を取り付けて形成される収納スペースに靴を収納する靴収納庫において、前記側板における扉の下端縁よりも下方に延出した部位に扉の回転支点を形成するとともに、該回転支点よりも更に下方で、扉の開閉や収納される靴の取り出しに支障がない程度に本体内底に向けて延出させた位置に前記底板を取り付け、扉の下部には該側板を目隠しする隠蔽板を備えたことを特徴とする靴収納庫。
【請求項３】
上記請求項２記載の靴収納庫において、前記側板の間に収納される靴が倒れないように保持する支持杆を備え、該支持杆に仕切板を取り付けたことを特徴とする靴収納庫。
【請求項４】
上記請求項３記載の靴収納庫において、前記底板、支持杆、仕切板をそれぞれ着脱自在にしたことを特徴とする収納庫。
【請求項５】
上記請求項３記載の靴収納庫において、前記側板に前記支持杆が嵌合する溝を複数設けて、支持杆の取付位置を適宜変えられるようにしたことを特徴とする靴収納庫。
【発明の詳細な説明】
【０００１】
【産業上の利用分野】
本発明は、前面に前倒式の扉を備え、この扉の裏面に靴を収納するスペースを形成した靴収納庫に関するものである。
【０００２】
【従来の技術】
従来この種の靴収納庫として、出願人は実開平７−３０７６４号を提案している。これは、前倒式の扉の裏面に靴を縦にして収納することで本体の薄型化を可能とし、収納物の取り出し易さの向上と省スペース化を図ったものである。図６はこの靴収納庫を示しており、前面を開放した薄型箱状の本体２０に、前面幅いっぱいの幅寸法を有する前面扉２１を上下方向に複数枚配列して形成されている。前面扉２１は本体２０の前面に支持部材２２によって前倒自在に枢支され、扉の背面に設けられる靴載置板２３に靴を載せることにより、靴を縦にして本体２０内に収納できるようになっている。
【０００３】
前面扉２１は前倒支持する枢支点Ｐを中心よりの位置に設けて、開いた際に本体２０に加わる力を軽減するとともに、扉２１が前方に張り出し過ぎないように工夫されている。このような構成によれば、扉の重心移動により全開・全閉のどちらかの位置で保持され、全開状態で靴の出し入れを行い、全閉状態で本体前面と面一となって本体内に靴を収納するのである。全閉状態は、本体２０前面に備えたマグネット２４により保持され、他の扉の開閉に際してガタツキを防止して安全性を確保している。また、薄型にした本体の自立を保持するために、本体２０の天部には、天井まで届く伸縮ポール２５が備えられている。これにより、本体２０は金具などによって壁面に固定することなく、薄型にしても安定した設置形態が得られ、且つ前面扉の開閉にも十分耐えうるように構成されるのである。
【０００４】
【発明が解決しようとする課題】
ところで、このような収納庫では、前面扉２１が中心よりやや下方で枢支されているので、支点Ｐよりも下の扉下端縁付近（図６Ａ部）に、例えば手を付くなどして力が加わると扉が開いてしまう可能性があった。仮に何らかの衝撃で扉が開いてしまうと、扉は何の緩衝もなく全開位置まで開くため、使用者にとって非常に危険性な状態のなるのである。
そこで本発明は、このような課題を解決し、安全で使い勝手のよい薄型の靴収納庫を提供することを目的とするものである。
【０００５】
【課題を解決するための手段】
このような問題に対処して本発明は、薄型箱状に形成した収納庫本体の前面に前倒式の扉を備え、該扉の裏面に靴を収納し扉の開閉に伴い靴の出し入れを行う靴収納庫であって、前記扉の回動支点を扉の下端縁よりも下方に設け、該扉の回動支点を目隠しする隠蔽板を本体前面に固定したものである。
【０００６】
【作用】
このような本発明の構成によれば、扉の回転支点は扉の下端縁より下方に設けられるため、扉のどの部分に触れても扉が不用意に開かないようになる。そして、扉の下部にあたる本体前面にはこの回転支点を目隠しするための隠蔽板を設けたので、外観上優れた収納庫が得られるる。また、回転軸を隠蔽板の裏面に延ばす側板には、底板と支持杆が着脱自在にされ、靴を収納した際にそれぞれ泥受け、靴押さえとして機能し、優れた靴の収納形態が得られる。
【０００７】
【実施例】
以下、図面を用いて本発明一実施例を説明する。図１は本発明一実施例の靴収納庫を示す外観正面図，図２は同収納庫の側面内部断面図，図３は平面内部断面図である。１は前面を除く５面をそれぞれ天板、底板、側板、背面板で包囲した収納庫本体で、その前面開口には前面幅いっぱいの幅寸法を有する前面板２を上下方向に複数取り付けられている。本体１は、梱包形態をコンパクトにするため、上下に２分割できるようになっており、上部本体１ａと下部本体１ｂとをねじ等（図示せず）で連結して形成される。前面板２は、上下２分割で構成され、上部側が前倒方向に開閉できるように本体１の前面に枢支される扉３を形成し、下部側が本体１の前面に固着され本体内部が見えないように目隠しする隠蔽板４を形成している。
【０００８】
ここで、前面板２の長さ、つまり扉３と隠蔽板４を合わせた長さは、靴を縦にして十分に収納できるだけの寸法を有している。また、扉３は、表面側の中心上部に開閉用の取手５を有するとともに、裏面の左右両側縁の下端部に、側板６が垂直に取り付けられ、この側板６の下端部は隠蔽板４の裏面に及んで延出し、その下端部に底板を設けることで、扉を小さくしても扉裏面には十分な収納スペースが確保されることになる。
【０００９】
７は本体１の底板４隅に設けられ、高さ方向への微調整が可能なアジャスト脚部、８は本体１の天板における側部近傍に左右一対で垂直に取り付けられる伸縮ポールで、これら脚部７及び伸縮ポール８によって、収納庫本体１は玄関等の設置場所の床面と天井面との間に圧接固定される。９は伸縮ポール８の間に挟持されるネット状の棚で、ポール８にはネジ１０によって固定される。棚９の奥行き寸法は、本体１の天板の奥行き寸法以下に設定されており、これによって、棚９をポール８と直交する水平状態に取り付ければ、棚として利用できるほか、ポール８と平行する垂直状態で取り付ければ、ネットとして利用でき、その使用態様が選べるようになっている。
【００１０】
伸縮ポール８は、周知の構成、特に上述した実開平７−３０７６４号に記載されたものと同じであり、本体１の天板に垂直に固定される外筒８ａと、該外筒８ａ内に進退自在に挿嵌される内筒８ｂと、該内筒８ｂの上端に取り付けられる圧着体８ｃと、外筒８ａの上端に設けられ内筒８ｂを適宜長さに伸長させた状態で固定する締付ねじ８ｄとで構成している。つまり、圧着体８ｃが天井面に当接するまで内筒８ｂを延ばし、その位置でねじ８ｄで固定することで本体１は設置場所に強固に設置されるのである。尚、圧着体８ｃには実開平７−３０７６４号に記載されたものと同じように、圧着の状態を微調整する可動円板や滑り止め及び天井に跡が残らないようにするためにゴムを備えているが、具体的な説明は省略する。
【００１１】
図４は前記側板６の近傍を拡大した説明図である。側板６は、扉３の裏面に垂直でネジ止め固定される垂直辺部６ａと、該垂直辺部６ａから本体内側に略扇状に張り出した側面部６ｂと、垂直辺部６ａから下方内側に向けて傾斜し、隠蔽板４の裏側まで延出した傾斜面部６ｃと、傾斜面部６ｃの上端近傍から隠蔽板４裏面にあたる本体１の前面縁に向けて突出した軸片部６ｄと、軸片部６ｄよりも下方で傾斜面部６ｃから隠蔽板４の裏面へ突出させた張出部６ｅとをそれぞれ合成樹脂により一体形成している。
【００１２】
１２は左右の側板６の間に横架される支持杆で、ワイヤ材を横長の枠状に成形したものであり、側板６の側面部６ｂに形成した溝部６ｆにその左右杆１２ｃが嵌合されることで着脱自在に取り付けられる。１３は支持杆１２に取り付けられる仕切板で、支持杆１２の上杆１２ａと下杆１２ｂに弾性嵌合され、支持杆１２に沿って左右方向に移動可能に設けられている。１４は側板６の傾斜面部６ｃに取り付けられる底板で、扉３の裏面から傾斜面部６ｃの傾斜に沿って設けられ、その先端を内側に向けて直角に折り曲げた断面略Ｌ字状をなしている。１５は隠蔽板４を本体１の前面に取付固定するためのブラケットで、隠蔽板４が取り付けられる本体１の前面縁１ｃに水平で架設固定されている。１６は側板６の張出部６ｅに取り付けられる調整板で、その前端部が前記隠蔽板４を固定するブラケット１５に当接することで扉３がほぼ垂直の状態で閉じられるように張出部６ｅにネジ１７によって固定されている。
【００１３】
側板６における垂直辺部６ａの下端部には、扉３の下端縁に係止される位置決め用の爪部６ｇが一体成形されており、これにより、側板６は、垂直辺部６ａ扉３裏面の左右側縁に沿って配置され、且つ垂直辺部６ａの下端部が爪部６ｇに位置決めされて扉３の下端縁にくるように取り付けられる。側板の側面部６ｂには、左右の側板６が向かい合う側の面に、支持杆１２の左右杆１２ｃが嵌合される、上端を開放した溝部６ｆが複数（ここでは３つ）設けられ、その裏面には、扉３を全開位置に係止するストッパ部６ｈが形成されている。
【００１４】
側板６の傾斜面部６ｃには、前記底板１４を取り付け状態に保持する係止凸部６ｉが設けられ、底板１４に穿設した嵌合孔１９にこの係止凸部６ｉが嵌合して固定されている。側板６における軸片部６ｄには、軸孔６ｊが設けられ、本体１の前面縁の内面に回転軸となるビス１１によって開閉自在に取り付けられている。隠蔽板４の裏面にはこの軸片部６ｄを逃げる凹部１８が切り欠いてあり、扉３の開閉を阻害しないようになっている。側板６における張出部６ｅには、調整板１６の取付位置を微調整するための長孔６ｋが設けられ、調整板１６の前端がブラケット１５に当接するように適宜位置でネジ１７により固定されている。
【００１５】
このように形成される側板６によって、扉３は本体１の前面に対して開閉自在に取り付けられる。扉３の閉塞状態は、側板６の張出部６ｅに取り付けられる調整板１６によって垂直になるように位置決めされる。こうした閉塞状態では、扉３の枢支点が扉の下端縁よりも下方にあるため、重心バランスが扉の開きにくい方向に作用し、従来のように扉を保持していたマグネット等の部材が不要となる。また、扉３を開放状態は、側板６のストッパ部６ｈが本体１の前面縁１ｃに当接することで開き具合が規制される。これにより、扉は自重で前倒を保持し靴を収納するに十分で且つ開きすぎない程度の開放状態が得られるのである。
【００１６】
また、側板６の傾斜面部６ｃ間には底板１４が、側面部６ｂには支持杆１２がそれぞれ架設されることによって、扉３の裏面には、扉裏面・側板６・底板１４で囲まれた収納空間が形成される。ちなみに本実施例では、この収納空間に靴を収納した場合、靴はつま先側を底板１４に向けて収納され、この状態で横方向に４足分並べられるように構成している。
【００１７】
底板１４は、靴を収納した際に靴が落下しないように保持するだけでなく、靴に付いた泥を本体内に落とさない作用を有しており、しかもこの底板１４は係止凸部６ｉと嵌合孔１９の係合を外すだけで簡単に取り外すことができ、清掃も容易である。また、支持杆１２は収納した靴が倒れないように保持するものであり、しかもこの支持杆１２は嵌合する溝部６ｆの位置を変えることができ、収納する靴の形態に応じて適宜差し替えることで、スニーカーからブーツまであらゆるタイプの靴が収納できるのである。更に、支持杆１２には仕切板１３が左右移動自在に設けられているので、収納した靴の横方向へのずれも防止することができ、収納した靴の量が少なくても確実な収納形態を得ることが可能となる。
【００１８】
仕切板１３は、収納物の仕切となる平面部１３ａと、該平面部１３ａの前下端に設けられ、前記支持杆１２の上杆１２ａに嵌合する第１の凹部１３ｂと、平面部１３ａから第１の凹部１３ｂと対面する位置に延出したアーム１３ｃと、該アーム１３ｃの先端に設けられ、前記支持杆１２の下杆１２ｂに嵌合する第２の凹部１３ｄを備えている。このように形成される仕切板１３は、まず第２の凹部１３ｄを支持杆１２の下杆１２ｂにはめ、アーム１３ｃの弾性力を利用して平面部１３ａを引っ張り、第１の凹部１３ｂを支持杆１２の上杆１２ａに引っ掛けることで取り付けられ、結果的に支持杆１２の上下杆を挟むように取り付けられるものである。
【００１９】
このように構成する収納庫の使用方法を説明すると、まず、収納庫本体１を床面と略水平になるように本体１底部のアジャスタ脚部を用いて調節し設置する。次に本体１天部の伸縮ポール８の内筒８ｂを伸ばし、内筒９ｂの先端に遊着した圧着体９ｃを天井に圧着させて取り付けられるものである。これにより、薄型に形成した収納庫であってもきわめて安定した設置形態が得られ、特に靴の出し入れの際に扉３を傾倒させても扉と靴の重さにより本体がずらつくことがない。
【００２０】
図５に示すように、扉３を開いた状態で、底板１４と、必要に応じて支持杆１２と仕切板１３を取り付け、靴のつま先側を底板に向けてならべる。そして、扉３を閉じた状態で、靴は支持杆１２と仕切板１３に支持されて動くことなく、本体内に収納される。この収納スペースは、側板６を扉の背面から隠蔽板４の背面側まで延出し、その下端部に底板を取り付けることで、扉３と隠蔽板４とからなる前面板２の裏面に形成されるものであり、前面板の可動部分（扉）を小さくしても靴の出し入れに支障なく十分に収納できるだけの空間を得ることができ、隠蔽板により、扉からはみ出した側板部分が目隠しされるため、外観を損なうことがないのである。
【００２１】
【発明の効果】
以上のように本発明は構成されるので、不用意に扉が開いてしまうことがなく、使用者が怪我をする危険性がない。また、可動部（扉）が小さくなり、その分重量が軽くなるので、開閉の負担が軽減する。また、扉裏面に収納受け板と支持杆を備えたので、まとまりのある収納形態が得られ、しかも収納する物品の形状の合わせて適宜調整可能であるから、様々な物品が収納できる。更に、その収納受け板により靴に付いた泥などでその下に収納される靴を汚してしまうことがない。
【図面の簡単な説明】
【図１】本発明一実施例の収納庫を示す外観正面図である。
【図２】同収納庫の側面内部断面図である。
【図３】同収納庫の平面内部断面図である。
【図４】側板６近傍を拡大した説明図である。
【図５】扉３を開放状態を示す説明図である。
【図６】従来の収納庫を示す側面内部断面図である。
【符号の説明】
１  収納庫本体
２  前面板
３  扉板
４  隠蔽板
６  側板
１２  支持杆
１３  仕切板
１４  底板
【図１】
0004447103.tif 000002
【図２】
0004447103.tif 000003
【図３】
0004447103.tif 000004
【図４】
0004447103.tif 000005
【図５】
0004447103.tif 000006
【図６】
0004447103.tif 000007